(57)【要約】【課題】自転車用荷かごをカバーした状態で荷かご内を見えにくくして防犯性を高めることができるとともに、水が溜まることがなくて使い勝手のよい自転車の荷かご用カバーを提供する。【解決手段】自転車の荷かご用カバーＡは、カバー本体部１０と、ループ状部３０と、掛止具４０とを有し、該カバー本体部１０は、細かい網目状に形成されたメッシュ部１２と、縁部１４と、穴金具１６等を有している。ループ状部３０は、ゴム糸等の伸縮性のある素材により形成されている。【選択図】        図１
2004210108.tif 000002
【特許請求の範囲】
【請求項１】
自転車の荷かご用カバーであって、
網目状を呈するメッシュ状部材を有するカバー本体部と、
該カバー本体部に取り付けられた掛止具であって、荷かごに掛止可能な掛止具と、
を有することを特徴とする自転車の荷かご用カバー。
【請求項２】
自転車の荷かご用カバーであって、
網目状を呈するメッシュ状部材を有するカバー本体部と、
該カバー本体部に取り付けられた伸縮性部材と、
該伸縮性部材に取り付けられた掛止具であって、荷かごに掛止可能な第１掛止具と、
該カバー本体部に取り付けられた掛止具であって、荷かごに掛止可能な第２掛止具と、
を有することを特徴とする自転車の荷かご用カバー。
【請求項３】
上記伸縮性部材がループ状を呈していることを特徴とする請求項２に記載の自転車の荷かご用カバー。
【請求項４】
上記伸縮性部材は、カバー本体部の前側の端部に沿って複数設けられていて、また、上記第２掛止具は、カバー本体部の後側の端部に沿って複数設けられていることを特徴とする請求項２又は３に記載の自転車の荷かご用カバー。
【請求項５】
自転車の荷かご用カバーであって、
カバー本体部であって、
網目状を呈するメッシュ状部材で、その前端側において、該メッシュ状部材を折り曲げて積層させることにより形成された前側積層部で、複数の穴部が設けられた前側積層部と、後端側において、該メッシュ状部材を折り曲げて積層させることにより形成された後側積層部で、複数の穴部が設けられた後側積層部とを有するメッシュ状部材を有するカバー本体部と、
該前側積層部に設けられた穴部に設けられた伸縮性を有するループ状部材と、該ループ状部材に取り付けられた第１掛止具であって、荷かごに掛止可能な第１掛止具と、
該後側積層部に取り付けられた第２掛止具であって、荷かごに掛止可能な第２掛止具と、
を有することを特徴とする自転車の荷かご用カバー。
【請求項６】
上記メッシュ状部材が透水性を有するとともに、上記メッシュ状部材における網目の開口部の最大幅が１．５ｍｍ以下に形成されていることを特徴とする請求項１又は２又は３又は４又は５に記載の自転車の荷かご用カバー。
【請求項７】
上記メッシュ状部材が、ナイロンにより形成されていることを特徴とする請求項１又は２又は３又は４又は５又は６に記載の自転車の荷かご用カバー。
【発明の詳細な説明】
【０００１】
【発明の属する技術分野】
本発明は、自転車用荷かご（以下単に「荷かご」とする場合もある）に用いるカバー、すなわち、自転車の荷かご用カバー（以下単に「荷かご用カバー」とする場合もある）に関するものである。
【０００２】
【従来の技術】
従来より自転車の荷かご用カバーとしては、荷かごの上端に取り付けるネット状部材が存在する。また、荷かご内に取り付ける袋状部材で、該袋状の本体部と該本体部をカバーする蓋部を有するものが存在する。
【０００３】
なお、出願人は、先行技術文献の調査は行っておらず、記載すべき先行技術文献は存在しない。
【０００４】
【発明が解決しようとする課題】
しかし、上記従来のネット状部材においては、開口部の大きさが大きく形成されているので、該ネット状部材を通して荷かごの内部が見えてしまい、防犯上十分とはいえなかった。
【０００５】
また、上記袋状部材においては、本体部や蓋部は通水性のないビニル素材により形成されており、該袋状部材を取り付けた自転車を屋外に放置しておき、雨が降った場合には、蓋部の上部や本体部内に水が溜まってしまい、使い勝手が十分でないという問題があった。
【０００６】
そこで、本発明は、自転車用荷かごをカバーした状態で荷かご内を見えにくくして防犯性を高めることができるとともに、水が溜まることがなくて使い勝手のよい自転車の荷かご用カバーを提供することを目的とするものである。
【０００７】
【課題を解決するための手段】
本発明は上記問題点を解決するために創作されたものであって、第１には、自転車の荷かご用カバーであって、網目状を呈するメッシュ状部材を有するカバー本体部と、該カバー本体部に取り付けられた掛止具であって、荷かごに掛止可能な掛止具と、を有することを特徴とする。
【０００８】
この第１の構成の自転車の荷かご用カバーは、掛止具が設けられているので、この掛止具により荷かごに取り付けて使用する。よって、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。
【０００９】
また、第２には、自転車の荷かご用カバーであって、網目状を呈するメッシュ状部材を有するカバー本体部と、該カバー本体部に取り付けられた伸縮性部材と、該伸縮性部材に取り付けられた掛止具であって、荷かごに掛止可能な第１掛止具と、該カバー本体部に取り付けられた掛止具であって、荷かごに掛止可能な第２掛止具と、を有することを特徴とする。
【００１０】
この第２の構成の自転車の荷かご用カバーは、掛止具が設けられているので、この掛止具により荷かごに取り付けて使用する。例えば、第２掛止具は常時荷かごに掛止させておき、第１掛止具を荷かごに着脱することにより、自転車の荷かご用カバーを開閉するようにして使用する。よって、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。また、伸縮性部材が設けられているので、大きさの異なる荷かごでも自転車の荷かご用カバーを装着することが可能である。
【００１１】
また、第３には、上記第２の構成において、上記伸縮性部材がループ状を呈していることを特徴とする。よって、掛止具を掛止させることが可能である。
【００１２】
また、第４には、上記第２又は第３の構成において、上記伸縮性部材は、カバー本体部の前側の端部に沿って複数設けられていて、また、上記第２掛止具は、カバー本体部の後側の端部に沿って複数設けられていることを特徴とする。
【００１３】
また、第５には、自転車の荷かご用カバーであって、カバー本体部であって、網目状を呈するメッシュ状部材で、その前端側において、該メッシュ状部材を折り曲げて積層させることにより形成された前側積層部で、複数の穴部が設けられた前側積層部と、後端側において、該メッシュ状部材を折り曲げて積層させることにより形成された後側積層部で、複数の穴部が設けられた後側積層部とを有するメッシュ状部材を有するカバー本体部と、該前側積層部に設けられた穴部に設けられた伸縮性を有するループ状部材と、該ループ状部材に取り付けられた第１掛止具であって、荷かごに掛止可能な第１掛止具と、該後側積層部に取り付けられた第２掛止具であって、荷かごに掛止可能な第２掛止具と、を有することを特徴とする。
【００１４】
この第５の構成の自転車の荷かご用カバーは、掛止具が設けられているので、この掛止具により荷かごに取り付けて使用する。例えば、第２掛止具は常時荷かごに掛止させておき、第１掛止具を荷かごに着脱することにより、自転車の荷かご用カバーを開閉するようにして使用する。よって、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。また、伸縮性部材が設けられているので、大きさの異なる荷かごでも自転車の荷かご用カバーを装着することが可能である。また、前側積層部と後側積層部が設けられていることにより、強度が大きくされているので、荷かごに取り付ける等してメッシュ状部材が引っ張られても、破損することがない。
【００１５】
また、第６には、上記第１から第５までのいずれかの構成において、上記メッシュ状部材が透水性を有するとともに、上記メッシュ状部材における網目の開口部の最大幅が１．５ｍｍ以下に形成されていることを特徴とする。よって、網目が細かく形成されているので、荷かごに取り付けた状態では、荷かごの内部をより見えにくくすることができ、また、網目が細かいので、メッシュ状部材の表面に印刷を施すことができ、絵柄や広告等を印刷することできて、自転車の荷かご用カバーを販促品等にも利用することができる。
【００１６】
また、第７には、上記第１から第６までのいずれかの構成において、上記メッシュ状部材が、ナイロンにより形成されていることを特徴とする。
【００１７】
【発明の実施の形態】
本発明の実施の形態としての実施例を図面を利用して説明する。本発明に基づく自転車の荷かご用カバーＡは、図１〜図５に示されるように、カバー本体部１０と、ループ状部（伸縮性部材）３０と、掛止具４０とを有している。
【００１８】
ここで、カバー本体部１０は、メッシュ部１２と、縁部１４と、穴金具１６と、止め金具１８等を有している。
【００１９】
このメッシュ部１２は、平板状を有し、メッシュ状部材により形成されている。このメッシュ状部材は、ナイロンにより形成されている。このメッシュ部１２における網目形状は、図４に示すように形成されていて、太さの大きい繊維１２−１と太さの細い繊維１２−２とから構成されている。この網目における開口部の最大幅ｍ（図４（ｂ）参照）は１．５ｍｍ以下であり、メッシュ部１２には、きめの細かいメッシュにより網目が形成されているといえる。
【００２０】
また、メッシュ部１２の平面形状としては、略長方形状を呈していて、前側の両端にアールが形成されている。また、メッシュ部１２の前側には、メッシュ状部材を積層した積層部（前側積層部）１２ａが形成され、また、カバー本体部１０の後ろ側には、メッシュ状部材を積層した積層部（後側積層部）１２ｂが形成されていて、穴部を設けた際の強度を得られるように構成されている。つまり、この積層部１２ａ、１２ｂにおいては、その内側の端部が縫い糸２０により縫いつけられている。つまり、縫い糸２０は、積層部１２ａ、１２ｂの端部に沿って横方向（つまり、Ｘ方向）に縫いつけられている。なお、この積層部１２ａには２カ所に穴部が設けられ、また、積層部１２ｂには３カ所に穴部が設けられている。
【００２１】
また、縁部１４は、メッシュ部１２の外周に設けられていて、縁部１４ａと縁部１４ｂとを有している。縁部１４ａと縁部１４ｂは、ともに、図５に示すように、断面略Ｕ字状を呈している。縁部１４ａは、図３に示すように、平面視においてＵ字状に形成されていて、縁部１４ｂは、平面視において直線状に形成されている。この縁部１４ａ、１４ｂは、ビニル等の柔軟性のある素材により形成されていて、メッシュ部１２の端部を被覆するように設けられ、縫い糸２２により縫いつけられている。
【００２２】
また、穴金具１６は、メッシュ部１２の積層部１２ａ、１２ｂに設けられた穴部に設けられている。この穴金具１６は、リング状を呈していて、積層部１２ａ、１２ｂに設けられた穴部に固定されている。
【００２３】
次に、ループ状部３０は、伸縮性を有する紐により形成されていて、ループ状に形成されていて、メッシュ部１２の積層部１２ａに設けられた穴金具１６に挿通されている。つまり、１つのループ状部３０は、１本の紐をループ状に結ぶことにより形成されていて、結び目３０ａがメッシュ部１２の底面側に配置されていて、結び目３０ａ以外の部分は、メッシュ部１２の平面側に突出している。当然、この結び目３０ａは、穴金具１６の穴よりも大きく形成されていて、この結び目３０ａが穴金具１６から容易に抜けないようになっている。なお、ループ状部３０の素材としては、具体的には、ゴム製紐により形成されている。
【００２４】
次に、掛止具４０は、図５に示すように、Ｓ字状に形成されていて、切欠部４２と切欠部４４とを有していて、切欠部４２の大きさは、切欠部４４の大きさよりも小さく形成されている。つまり、切欠部４２の導入口４２ａの幅β１は、切欠部４４の導入口４４ａの幅β２よりも小さく形成されている。そして、掛止具４０は、上記ループ状部３０に取り付けられているとともに、掛止具４０は、積層部１２ｂに設けられた穴金具１６に取り付けられている。つまり、積層部１２ａ側では、掛止具４０の切欠部４２側の端部４３が、ループ状部３０に挿通されており、積層部１２ｂ側では、掛止具４０の端部４３が、積層部１２ｂの穴金具１６に挿通されている。なお、各掛止具４０の形状は同一である。なお、上記ループ状部３０に掛止された掛止具４０が、上記第１掛止具に当たり、積層部１２ｂに設けられた穴部に掛止された掛止具４０が、上記第２掛止具に当たる。
【００２５】
なお、上記構成の自転車の荷かご用カバーＡにおいては、上記メッシュ部１２が設けられ、該メッシュ部１２の網目はきめが細かく形成されているので、このメッシュ部１２の表面には、シルク印刷を施すことが可能となる。よって、絵柄や広告等を印刷することができて、自転車の荷かご用カバーＡを販促品等に利用することが可能となる。
【００２６】
上記構成の自転車の荷かご用カバーＡの使用状態について、図６、図７を使用して説明する。この自転車の荷かご用カバーＡは、自転車用の荷かごに取り付けて使用する。すなわち、自転車の荷かご用カバーＡの後端側、すなわち、積層部１２ｂ側を荷かごに固定し、自転車の荷かご用カバーＡの前端側、すなわち、積層部１２ａ側を荷かごに着脱して使用する。なお、この自転車の荷かご用カバーＡは、自転車用の荷かごの中でも主として前かご、すなわち、ハンドルの前方を取り付ける荷かごに使用する。
【００２７】
つまり、自転車の荷かご用カバーＡの後端側に設けられた３つの掛止具４０を自転車の前かごとしての荷かごＫの後端側に取り付ける。つまり、掛止具４０における一対の端部のうちカバー本体部１０に取り付けられていない側の端部４５を荷かごＫに掛止させて、自転車の荷かご用カバーＡを荷かごＫに固定する。
【００２８】
そして、図６に示すように、自転車の荷かご用カバーＡによって荷かごＫをカバーした状態、つまり、閉状態にするには、自転車の荷かご用カバーＡの前端側に取り付けられた２つの掛止具４０を荷かごＫの前端側に掛止させる。つまり、掛止具４０におけるループ状部３０に掛止されていない側の端部４５を掛止させる。その際、前端側に取り付けられた掛止具４０は、ループ状部３０に掛止されているので、ループ状部３０が伸縮することにより、カバー本体部１０の大きさが荷かごＫの開口部よりも小さい場合でも、掛止具４０を荷かごＫに支障なく取り付けることができる。
【００２９】
この自転車の荷かご用カバーＡが荷かごＫの上端を覆っている状態では、メッシュ部１２がきめの細かい網目に形成されているので、荷かごＫの内部を見えにくくでき、これにより、防犯効果を高めることができる。
【００３０】
なお、自転車用の前かごとしての荷かごは、通常前側の角部には丸みを設けてあるが、自転車の荷かご用カバーＡの前側にはアールが設けられているので、自転車の荷かご用カバーＡの形状は、前かごとしての荷かごに適応させているといえる。
【００３１】
また、自転車の荷かご用カバーＡを閉状態から自転車の荷かご用カバーＡを開けた状態、つまり、開状態とするには、自転車の荷かご用カバーＡの前端側に取り付けられた２つの掛止具４０を荷かごＫから取り外して図７に示すようにカバー本体部１０を捲り上げる。このようにすることにより、荷かごＫ内に被収納物を出し入れすることが可能となる。このように、自転車の荷かご用カバーＡの前端側に取り付けられた２つの掛止具４０を荷かごＫから着脱することにより、開状態と閉状態とを切り換えることが可能となる。
【００３２】
なお、自転車の荷かご用カバーＡは、その大部分がメッシュ部１２により形成されているので、透水性があるので、自転車の荷かご用カバーＡに雨水が溜まることがない。
【００３３】
なお、上記の説明において、網目における開口部の最大幅ｍ（図４（ｂ）参照）は１．５ｍｍ以下であるとして説明したが、２．０ｍｍ以下であるとしてもよい。また、該開口部の最大幅ｍを１．０ｍｍ以下としてもよい。
【００３４】
また、上記の説明では、メッシュ部１２を構成するメッシュ状部材はナイロンにより形成されているとしたが、ナイロン以外の素材でもよく、少なくとも柔軟性のある素材により形成されていればよい。
【００３５】
【発明の効果】
本発明に基づく請求項１及びこれに従属する請求項に記載の自転車の荷かご用カバーによれば、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。
【００３６】
また、請求項２及びこれに従属する請求項に記載の自転車の荷かご用カバーによれば、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。また、伸縮性部材が設けられているので、大きさの異なる荷かごでも自転車の荷かご用カバーを装着することが可能である。
【００３７】
また、請求項５及びこれに従属する請求項に記載の自転車の荷かご用カバーによれば、カバー本体部が、網目状を呈するメッシュ状部材を有しているので、自転車用荷かごをカバーした状態で荷かご内を見えにくくして防犯性を高めることができるとともに、水が溜まることがなく使い勝手をよくすることができる。また、伸縮性部材が設けられているので、大きさの異なる荷かごでも自転車の荷かご用カバーを装着することが可能である。また、前側積層部と後側積層部が設けられていることにより、強度が大きくされているので、荷かごに取り付ける等してメッシュ状部材が引っ張られても、破損することがない。
【００３８】
また、特に、上記メッシュ状部材が透水性を有するとともに、上記メッシュ状部材における網目の開口部の最大幅が１．５ｍｍ以下に形成されている場合には、網目が細かく形成されているので、荷かごに取り付けた状態では、荷かごの内部をより見えにくくすることができ、また、網目が細かいので、メッシュ状部材の表面に印刷を施すことができ、絵柄や広告等を印刷することできて、自転車の荷かご用カバーを販促品等にも利用することができる。
【図面の簡単な説明】
【図１】本発明の実施例に基づく自転車の荷かご用カバーの斜視図であり、表側から視認した状態の斜視図である。
【図２】本発明の実施例に基づく自転車の荷かご用カバーの斜視図であり、裏側から視認した状態の斜視図である。
【図３】本発明の実施例に基づく自転車の荷かご用カバーの平面図である。
【図４】メッシュ部の網目形状を示す図であり、（ａ）は図３のＲに示す部分の拡大図であり、（ｂ）は（ａ）における部分拡大図である。
【図５】図３におけるＸ−Ｘ断面図である。
【図６】本発明の実施例に基づく自転車の荷かご用カバーの使用状態を示す斜視図であり、自転車の荷かご用カバーの閉状態を示す斜視図である。
【図７】本発明の実施例に基づく自転車の荷かご用カバーの使用状態を示す斜視図であり、自転車の荷かご用カバーの開状態を示す斜視図である。
【符号の説明】
Ａ  自転車の荷かご用カバー
１０  カバー本体部
１２  メッシュ部
１２ａ、１２ｂ  積層部
１４  縁部
１６  穴金具
１８  止め金具
２０、２２  縫い糸
３０  ループ状部
４０  掛止具
【図１】
2004210108.tif 000003
【図２】
2004210108.tif 000004
【図３】
2004210108.tif 000005
【図４】
2004210108.tif 000006
【図５】
2004210108.tif 000007
【図６】
2004210108.tif 000008
【図７】
2004210108.tif 000009